(57)【特許請求の範囲】
【請求項１】
基質、金属イオン、並びに、前記基質および前記金属イオンと酸化還元反応して金属を析出させる補酵素を添加した液体試料中の前記基質または前記金属イオンを検出するバイオセンサーであって
基板上に配置された一対の電極と、
前記一対の電極間の前記基板上に複数の微粒子を配列形成してなる微粒子層と、
前記微粒子層の表面に固定されるとともに前記基質に特異的に作用する酵素と、
前記一対の電極に接続されるとともに、前記微粒子層の電気伝導度を測定する測定器と
を備えたバイオセンサー。
【請求項２】
請求項１記載のバイオセンサーにおいて、
前記微粒子は保護膜で覆われている、バイオセンサー。
【請求項３】
請求項１記載のバイオセンサーにおいて、
前記金属イオンが添加された前記液体試料中の前記基質に前記酵素が作用することで、前記金属イオンが還元されて金属として前記微粒子の表面に析出することによる前記微粒子層の電気伝導度の変化により、前記基質を検出する、バイオセンサー。
【請求項４】
請求項１記載のバイオセンサーにおいて、
前記基質が添加された前記液体試料中の当該基質に前記酵素が作用することで、前記金属イオンが還元されて金属として前記微粒子の表面に析出することによる前記微粒子層の電気伝導度の変化により、前記金属イオンを検出する、バイオセンサー。
【発明の詳細な説明】
【技術分野】
【０００１】
本発明は、バイオセンサーに関し、特に、酵素の触媒作用を利用して液体試料中の基質または金属イオンを検出するバイオセンサーに関する。
【背景技術】
【０００２】
系内の特定物質を検出するセンサーとしては、様々なタイプのものが開発されている。
【０００３】
例えば、センサー部の化学構造の変化による電流の変化を測定することで検体分子を検出する化学センサーが開発されている（例えば、下記特許文献１参照）。
【０００４】
この化学センサーは、ナノメートル単位の金属微粒子がリンカー分子によって相互結合されており、リンカー分子中に検体分子と可逆的に結合または配位する選択ユニットを備えている。そして、この選択ユニットに検体分子が結合または配位することによる電流値の変化により、上記検体分子を検出する。このような化学センサーは、ナノメートル単位の金属微粒子をセンサー部に用いるため、センサー部の小型化が可能である。
【０００５】
一方、酵素の触媒作用を利用したバイオセンサーとして、イオン感応型電界効果トランジスタ（Ion Sensitive Field Effect Transistor(ＩＳＦＥＴ）)のゲート部に酵素固定化膜を形成したバイオセンサーが開発されている（例えば、下記特許文献２参照）。
【０００６】
このＩＳＦＥＴ型バイオセンサーは、特定の有機物が酵素固定化膜中で酵素の触媒作用により分解されたときに生ずる膜中の水素イオン濃度の変化をＩＳＦＥＴで検出する。これにより、液体試料中の特定の有機物の濃度を測定するものである。このようなバイオセンサーは、半導体装置における微細加工技術を駆使して１チップ上に多種類のセンサーを集積させることができる、という利点がある。
【０００７】
【特許文献１】特開２００２−２２８６１６号公報
【特許文献２】特開平８−３１３４７８号公報
【発明の開示】
【発明が解決しようとする課題】
【０００８】
しかし、特許文献１に記載された化学センサーにおいては、金属微粒子間にリンカー分子が介在する分、金属微粒子間はある程度の距離を有して配列されており、リンカー分子中の選択ユニットに検体分子が可逆的に結合または配位しても、金属微粒子間の距離は維持される。このため、リンカー分子の構造変化により電気伝導度を大きく変化させることは難しく、検体分子を高感度に検出することが難しい、という問題がある。また、特許文献２に記載されたバイオセンサーにおいては、製造工程が煩雑であり、高コストである、という問題がある。
【０００９】
本発明は、かかる問題点を改善するために提案されたものであり、特定物質を高感度に検出する単純な構造のバイオセンサーを提供することを目的とする。
【課題を解決するための手段】
【００１０】
上述の目的を達成するために、本発明のバイオセンサーは、基質、金属イオン、並びに、基質および金属イオンと酸化還元反応して金属を析出させる補酵素を添加した液体試料中の基質または金属イオンを検出するバイオセンサーであって、基板上に配置された一対の電極と、一対の電極間の基板上に複数の微粒子を配列形成してなる微粒子層と、微粒子層の表面に固定されるとともに基質に特異的に作用する酵素と、一対の電極に接続されるとともに、微粒子層の電気伝導度を測定する測定器とを備えたものである。
【００１１】
このようなバイオセンサーによれば、酵素が液体試料中の基質に特異的に作用することで、金属イオンが還元されて金属として微粒子の表面に析出する。このため、微粒子間の距離が短くなり、微粒子層の電気伝導度が増大する。これにより、背景技術で説明した金属微粒子間の距離が維持される化学センサーと比較して、液体試料中の基質または金属イオンが感度よく検出される。
【００１２】
また、本発明のバイオセンサーは、一対の電極間に微粒子を配列形成し、微粒子の表面に酵素が固定化されていることから、背景技術で説明したＩＳＦＥＴ型バイオセンサーと比較して、単純な構造となる。
【発明の効果】
【００１３】
本発明のバイオセンサーによれば、液体試料中の基質または金属イオンが感度よく検出されるため、基質または金属イオンの検出濃度範囲を広げることができる。また、バイオセンサーとしての構造が単純であることから、小型化が可能である。また、構造が単純であることで製造工程も簡略化されるため、低コスト化も可能である。
【発明を実施するための最良の形態】
【００１４】
以下、本発明の実施の形態を詳細に説明する。
【００１５】
＜バイオセンサー＞
図１は、本実施形態のバイオセンサー１を示す構成図である。この図に示すバイオセンサー１は、液体試料中の基質または金属イオンの検出に用いられるものである。バイオセンサー１は、基板１１上に設けられた一対の電極１２間に複数の微粒子１３を配列形成してなる微粒子層１４と、この微粒子層１４の表面に固定化された酵素１５とを有するセンサー部１０を備えている。
【００１６】
基板１１としては、酸化ケイ素系材料（ＳｉＯx、ＳｉＮyなど）、酸化アルミニウム、金属酸化物などの絶縁体、あるいは、ポリメチルメタクリレート（ＰＭＭＡ）、ポリビニルアルコール（ＰＶＡ）、ポリビニルフェノール（ＰＶＰ）、ポリカーボネート、ポリエーテルスルホン（ＰＥＳ）、などの有機高分子、あるいは雲母を用いる。半導体や金属表面に上記の絶縁体膜が形成されたものを用いてもよい。基板表面は平滑であるほうがよいが、微粒子層の電気伝導性に影響を与えない程度のラフネスがあっても構わない。
【００１７】
上述した基板１１上には、例えば金（Ａｕ）からなる一対の電極１２が離間した状態で配置されている。電極１２の材料としては、金（Ａｕ）以外に、白金、銀、パラジウム、アルミニウム、銅などの金属（これら金属の微粒子を含む導電性ペーストを含む）やまたはそれらによる合金、ポリ(3,4-エチレンジオキシチオフェン)/ポリ(4-スチレンスルホナート)(PEDOT/PSS)などの導電性高分子を用いることができる。
【００１８】
上記一対の電極１２間の基板１１の表面には、後工程で形成する微粒子を１層分だけ固定するシラノール誘導体からなる接着層１６が設けられている。なお、ここでは、接着層１６を形成することとしたが、微粒子と基板１１との親和性がよい場合には、特に接着層１６を形成しなくてもよい。
【００１９】
そして、基板１１上には、この接着層１６を介して保護膜１７で覆われた状態の複数の微粒子１３を配列形成してなる微粒子層１４が設けられている。具体的には、微粒子１３の構成材料と接着層１６を構成するシラノール誘導体とが結合し、固定化されている。
【００２０】
ここでは、微粒子１３が例えば金（Ａｕ）で構成されており、球形であることとする。なお、ここでは、球形の微粒子１３を用いることとするが、微粒子１３の形状は特に限定されるものではなく、例えば四面体、立方体、直方体、円柱等であってもよい。また、ロッド状、シート状であってもよい。
【００２１】
また、微粒子１３を覆う保護膜１７は、鎖状の絶縁性有機分子で構成されており、絶縁性有機分子としては、アルキルアミン等のアミン誘導体やアルカンチオール等のチオール誘導体が挙げられる。ここでは、例えばチオール誘導体により保護膜１７が構成されており、チオール誘導体のチオール基が金からなる微粒子１３と結合していることとする。ここで、保護膜１７を構成するチオール誘導体の微粒子１３と結合していない側の末端官能基は、後述する製造方法で詳細に説明するように、酵素と結合可能に構成されていることとする。なお、この保護膜１７は他の種類の保護膜で置換することが可能であるため、はじめにアミン誘導体を保護膜１７として微粒子層を形成させた後にチオール誘導体の保護膜１７に置き換えてもよい。
【００２２】
微粒子１３の粒径は均一であることが好ましく、粒径が均一であることで、保護膜１７で覆われた状態の微粒子１３も均一な粒径で構成され、２次元的に規則的に配列される。この状態で、隣接する微粒子１３間の保護膜１７同士は接しており、微粒子１３同士は所定の距離を有して配置されている。これにより、微粒子１３間にはトンネル電流が発生する。そして、後述するセンシング方法で詳細に説明するように、本実施形態のバイオセンサー１では、微粒子１３の表面に金属を析出させて微粒子１３間の間隔が変化することによるトンネル電流の変化を測定する。トンネル電流は微粒子間の距離の減少に対して指数関数的に電流値が増加するため、液体試料中の基質または金属イオンが感度よく検出される。
【００２３】
このため、微粒子１３間の距離はトンネル電流が発生する程度であることが好ましく、トンネル電流が発生する範囲で距離が長い方が微粒子１３の表面により多くの金属を析出させることができるため、基質の検出濃度範囲が広くなる。そして、微粒子１３間の距離は、保護膜１７の膜厚により制御可能である。また、微粒子１３の粒径を小さくすることでセンサー部１０の小型化が可能となり、検出に用いる試料も微量となるため好ましい。
【００２４】
具体的には、保護膜１７で覆われた状態の微粒子１３は、粒子径が５０ｎｍ程度以下のコロイド粒子であり、微粒子１３の径は３ｎｍ〜５０ｎｍ、保護膜１７は０.５ｎｍ〜２ｎｍの膜厚であることとする。
【００２５】
なお、ここでは、微粒子１３が保護膜１７で覆われている例について説明したが、微粒子１３は保護膜１７で覆われていなくてもよい。この場合には、複数の微粒子１３が間隔を有して配列形成されていてもよく、接触する状態で配列形成されていてもよい。隣接する微粒子１３が接触する状態で配列形成される場合には、後述するセンシング工程において、金属が微粒子１３の表面に析出されることで、微粒子１３同士の接触面積が増加することによる微粒子層１４の電気伝導度の変化を測定する。
【００２６】
ただし、微粒子１３が保護膜１７で覆われていた方が、微粒子１３の配列形成の際に微粒子１３の凝集が抑制されるため、好ましい。また、複数の微粒子１３が間隔を有して配置されている方が、微粒子層１４のトンネル電流の変化で基質を検出するため、感度が高く、好ましい。
【００２７】
そして、微粒子層１４の表面には、酵素１５が固定されている。ここで、酵素１５は、測定する基質の種類に応じて選択されることとする。ここでは、後述するように、このバイオセンサー１によりエタノール（Ｃ2Ｈ5ＯＨ）からなる基質の濃度を測定することから、酵素１５として、アルコール脱水素酵素（Alcohol Dehydrogenase（ＡＤＨ））からなる酸化還元酵素を用いることとする。ここでは、保護膜１７の末端官能基（カルボキシル基、アミノ基、スクシンイミジル基、水酸基）と酵素１５のペプチド鎖に含まれるアミノ基、カルボキシル基、水酸基、チオール基などとが共有結合で結合されることとする。なお、ここでは、保護膜１７と酵素１５とが結合することとするが、微粒子１３と酵素１５とが直接結合していてもよい。この場合には、酵素１５のペプチド鎖を構成するチオール基またはアミノ基等と微粒子１３を構成する金とが直接結合されることとする。
【００２８】
また、バイオセンサー１には、上記一対の電極１２に接続されるとともに、上記微粒子層１４の電気伝導度を測定する例えば電流計からなる測定器２０が設けられている。ここでは、測定器２０が電流計で構成されることとするが、測定器２０は微粒子層１７の電気伝導度を測定できればよく、例えば抵抗測定器等であってもよい。
【００２９】
＜バイオセンサーの製造方法＞
このようなバイオセンサー１は、次のような方法により製造される。
【００３０】
まず、酸化ケイ素材料からなる基板１１上に金からなる一対の電極１２をパターン形成する。電極１２の形成は、用いる電極材料によって異なるが、化学的気相成長（Chemical Vapor Deposition(ＣＶＤ)）法、スクリーン印刷法、インクジェット法などを用いる。必要に応じてフォトリソグラフィー法、シャドウマスク法などと組み合わせてもよい。
【００３１】
次いで、上記一対の電極１２間の基板１１の表面をシラノール誘導体の蒸気に接触させることで、接着層１６を形成する。なお、シラノール誘導体の溶液に上記基板１１を浸漬させて接着層１６を形成してもよい。
【００３２】
次いで、保護膜１７で覆われた状態の金からなる微粒子１３の分散液を用意し、この分散液に基板１１を数分間から数時間浸漬した後、溶媒を蒸発させる。これにより、接着層１６を構成するシラノール誘導体に金からなる微粒子１３が結合して固定される。その後、洗浄処理を行うことで、接着層１６に固定されていない余剰の微粒子１３を除去する。これにより、基板１１の接着層１６の表面に、保護膜１７で覆われた状態の微粒子１３が、２次元的に配列形成された微粒子層１４が形成される。この際、隣接する微粒子１３間の保護膜１７同士は接触した状態となる。
【００３３】
保護膜１７で覆われた状態の微粒子１３を基板１１上に配列形成する方法としては、上記のような浸漬法の他に、キャスト法、ラングミュア−ブロジェット（ＬＢ）法、またはスタンプ法などが挙げられる。
【００３４】
キャスト法では、保護膜１７で覆われた微粒子１３をトルエンやクロロフォルム等の溶媒に分散させた分散液を接着層１６が形成された状態の基板１１上に滴下し、徐々に溶媒を蒸発させる。この際、微粒子層１４が一層だけ形成されるように、分散液の濃度を予め調整しておく。
【００３５】
ＬＢ法では、静置した水面上に、保護膜１７で覆われた微粒子１３をトルエンやクロロフォルム等の溶媒に分散させた分散液を展開し、微粒子層１４を形成する。次に水面下降法などにより、接着層１６が形成された状態の基板１１上に、上記微粒子層１４を転写する。
【００３６】
スタンプ法では、固体表面や水面にキャスト法やＬＢ法で形成された微粒子層１４を一度ポリジメチルシロキサンなどの表面に転写する。そして、転写された微粒子層１４をスタンプのように接着分子１６が形成された基板１１上に押し付ける。
【００３７】
上述したように、基板１１上の一対の電極１２間に、微粒子層１４を形成した後、微粒子の保護膜１７の末端官能基がカルボキシル基の場合はカルボジイミド化合物を含む溶液に、末端官能基がアミノ基の場合はグルタルアルデヒドを含む溶液に、基板１１を浸漬させ保護膜１７表面を活性化する。この状態の基板１１を酵素１５を含有する溶液に浸漬させることで、微粒子１３を覆う保護膜１７の表面で、保護膜１７のカルボキシル基またはアミノ基と酵素１５のアミノ基とが反応し、保護膜１７と酵素１５が結合され酵素１５が固定化される。また、保護膜１７の末端官能基がスクシンイミジル基の場合は、上記活性化の必要がないため、微粒子層１４を形成後、酵素１５を含有する溶液に浸漬させることで酵素１５の固定化が可能である。
【００３８】
＜センシング方法＞
次に、このバイオセンサー１を用いた液体試料中のセンシング方法について、液体試料中の基質の濃度の測定方法を例にとって説明する。
【００３９】
まず、この測定のメカニズムについて図２を用いて説明する。測定に用いる液体試料には、例えばエタノールからなる基質Ａが含まれている。基質Ａは、図１を用いて説明したバイオセンサー１を構成するＡＤＨからなる酵素１５の触媒作用により酸化してアセトアルデヒド（生成物Ａ’）を生成する。
【００４０】
この液体試料中に、補酵素（酸化体）Ｂと金属イオンＭn+を添加する。
【００４１】
補酵素（酸化体）Ｂは、上述した基質Ａの酸化反応を促進するものであり、例えば、ニコチンアミドアデニンジヌクレオチドの酸化体（ＮＡＤ+）からなる。このＮＡＤ+は、基質Ａの酸化反応により還元されてＮＡＤＨからなる補酵素（還元体）Ｂ’となる。なお、ここでは、補酵素（酸化体）Ｂとして、ＮＡＤ+を添加することとするが、ニコチンアミドアデニンジヌクレオチドリン酸の酸化体（ＮＡＤＰ+）を添加してもよい。
【００４２】
なお、ここでは、バイオセンサー１の酵素１５にＡＤＨを用い、エタノールからなる基質Ａを検出する例について説明するが、上述した補酵素（酸化体）Ｂにより酸化反応が促進される基質Ａと酵素１５の組み合わせは、エタノールとＡＤＨに限定されるものではない。ここで基質Ａと酵素１５の組み合わせを表１に示す。
【表１】
0004696723.tif 000002
【００４３】
また、液体試料中に添加する金属イオンＭn+としては、ＮＡＤＨからなる補酵素（還元体）Ｂ’により還元されて、金属Ｍとして析出されるものを用いる。ここで、基質Ａの酸化反応の生成物であるアセトアルデヒドの酸化還元電位は−０．３２０Ｖ、補酵素の還元体であるＮＡＤＨの酸化還元電位は−０．１９７Ｖであることから、これらの値よりも高い酸化還元電位を有する金属イオンＭn+であれば、還元されて金属Ｍとして析出される。ただし、金属イオンＭn+を現実的な速度で還元・析出し得る物質が上記補酵素（酸化体）Ｂのみであることが必要である。
【００４４】
ここで、アセトアルデヒドおよびＮＡＤＨよりも高い酸化還元電位を有する金属イオンＭn+を上記表１に示す。この表に示すように、金属イオンＭn+としては、金イオン（Ａｕ3+）、白金イオン（Ｐｔ2+）、パラジウムイオン（Ｐｄ2+）、銀イオン（Ａｇ+）、銅イオン（１価）（Ｃｕ+）、銅イオン（２価）（Ｃｕ2+）、鉛イオン（Ｐｂ2+）、錫イオン（Ｓｎ2+）が挙げられる。ここでは、例えば金イオンからなる金属イオンＭn+を例えば塩化金酸として液体試料中に添加する。ここで、液体試料中の金属イオンＭn+以外の金属イオンは無視できる程度の量であることとする。
【００４５】
金属イオンＭn+として、金イオン（Ａｕ3+）を液体試料中に添加することで、微粒子１３の表面には微粒子１３の構成材料と同じ金（Ａｕ）が析出される。微粒子１３の構成材料と同じ金属Ｍを析出する金属イオンＭn+を用いることで、金属Ｍと微粒子１３とで材質が異なることによる電気伝導度の差を考慮しなくてもよいため、好ましい。
【００４６】
上述した補酵素（酸化体）Ｂと金属イオンＭn+は、後述する基質Ａの酸化反応を促進するのに十分な濃度で液体試料中に添加されることとする。
【００４７】
次いで、補酵素（酸化体）Ｂと金属イオンＭn+が添加された液体試料中の基質Ａの濃度を測定する。この測定は、酵素１５が触媒作用を発揮し得る温度で行うこととする。また、この際、液体試料中には酵素１５の阻害剤が存在しないこととする。
【００４８】
まず、図３（ａ）に示すように、バイオセンサー１（前記図１参照）のセンサー部分１０を、図２を用いて説明した基質Ａと補酵素（酸化体）Ｂと金属イオンＭn+とを含む液体試料３０に浸漬させる。具体的には、酵素１５が固定された側を液体試料３０側に向けて、少なくとも一対の電極１２間に設けられた微粒子層１４までを浸漬させる。この時点で、測定器２０（前記図１参照）が示す電流値を初期値として記録する。ここで、液体試料３０の量は、酵素１５が液体試料３０中の基質Ａに対して十分に作用しうる量であることとする。ここでは、液体試料３０中にセンサー部１０を浸漬させることとしたが、酵素１５上から液体試料３０を滴下して測定を行ってもよい。
【００４９】
センサー部１０を液体試料３０中に浸漬させることで、基質Ａが酵素１５に近づくと、下記反応式（１）で示されるように、エタノール（Ｃ2Ｈ5ＯＨ）とＮＡＤ+の酸化還元反応が生じ、アルデヒド（ＣＨ3ＣＨＯ）、ＮＡＤＨおよび水素イオンが生成される。
【化１】
0004696723.tif 000003
【００５０】
そして、下記反応式（２）に示すように、ＮＡＤＨにより金イオン（Ａｕ3+）が還元されて金（Ａｕ）が生成する。
【化２】
0004696723.tif 000004
【００５１】
これにより、図３（ｂ）に示すように、金からなる金属Ｍが、例えば微粒子１３の表面に析出する。
【００５２】
ここで、金属イオンＭn+を還元し得る物質としては、基質Ａであるエタノールと補酵素（還元体）Ｂ’であるＮＡＤＨがある。しかし、エタノールによる金イオンの還元には超音波照射や還流処理によるエネルギーの付与が必要である。一方、ＮＡＤＨによる金イオンの還元には、エネルギーの付与がなくても金イオンを還元することができる（Angew.Chem.Int.Ed.vol.43,p.4519(2004))。したがって、エネルギーの付与を必要としない条件下において金の析出は、実質的にＮＡＤＨによるものと考えられる。
【００５３】
この金属Ｍの付着により微粒子１３間の距離が減少し、微粒子層１４のトンネル電流が増大する。そして、図１に示した測定器２０により、このトンネル電流が一定値に落ち着いた時点での電流値を測定する。この電流値と上記初期値との比較により、析出した金属Ｍが定量される。この金属Ｍの量と上記反応式（１）、（２）から基質Ａ（エタノール）の量は換算されるため、液体試料３０中の基質Ａの濃度が測定される。
【００５４】
なお、微粒子１３が保護膜１７で密に覆われており、析出した金属Ｍが微粒子１３の表面に到達し難い場合には、金属Ｍが保護膜１７の表面に析出する場合もある。この場合であっても、微粒子層１４の電流値の変化は測定可能である。
【００５５】
なお、ここでは、析出した金属Ｍの量から基質Ａの濃度を換算することとしたが、予め検出されると予測される基質Ａの濃度の範囲内での検量線を作成しておき、この検量線と測定された電流値とを比較することで、液体試料３０中の基質Ａの濃度を測定してもよい。
【００５６】
また、ここでは、液体試料３０中の基質Ａの濃度を測定する場合の例について説明したが、液体試料３０中の金属イオンＭn+を検出する場合であっても、同様のメカニズムにより検出可能である。この場合には、検出する金属イオンＭn+の濃度に対して、図２を用いて説明した反応経路が十分に進む量の基質Ａと補酵素（酸化体）Ｂを液体試料３０中に添加する。そして、液体試料３０にバイオセンサー１の微粒子層１４までを浸漬させることで、上述した反応と同様のメカニズムにより金属Ｍが析出することによる微粒子層１４のトンネル電流の変化を測定する。これにより、液体試料３０中の金属イオンＭn+が検出される。
【００５７】
このようなバイオセンサー１によれば、微粒子１３の表面への金属Ｍの析出による微粒子層１４のトンネル電流の変化を測定することで、析出した金属Ｍが定量され、液体試料３０中の基質Ａが感度よく検出される。したがって、液体試料３０中の基質Ａの検出濃度範囲を広げることができる。
【００５８】
また、本発明のバイオセンサー１は、一対の電極１２間に微粒子１３を配列形成し、微粒子１３の表面に酵素１５が固定化された単純な構造である。したがって、小型化が可能であり、構造が単純であることで製造工程も簡略化されるため、低コスト化も可能である。
【００５９】
なお、上記実施形態のバイオセンサー１では、微粒子１３として金を用いることとしたが、微粒子１３は金以外の銀、白金、銅、パラジウムなどの金属、硫化カドミウム、セレン化カドミウム、シリコンなどの半導体またはそれらの合金であってもよい。また、微粒子１３は、酸化ケイ素（SiOx）、酸化アルミニウム、ポリスチレンなどの絶縁体であってもよい。または、これらの材料から構成されるコア・シェル型構造を有する微粒子１３を用いることもできる。
【００６０】
ただし、微粒子１３を絶縁体で構成する場合には、例えば酵素１５と反対の電荷を持った荷電高分子微粒子を微粒子１３として用い、酵素１５と静電相互作用によって固定化する。また、センシング方法においては、微粒子１３が絶縁体であることから、ある程度の量の金属Ｍが微粒子１３の表面に付着するまで電流値は０を示す。このため、所定の濃度以上の基質Ａの検出に用いられる。
【００６１】
なお、上述したバイオセンサー１では、保護膜１７で覆われた状態の微粒子１３を、基板１１上の一対の電極１２間に２次元的に配列形成して微粒子層１４を形成する例について説明したが、微粒子層１４は１次元的に、すなわち、一対の電極１２間に保護膜１７で覆われた状態の微粒子１３が一列に配置された状態であってもよい。これにより、バイオセンサー１のさらなる小型化が可能となる。また、微粒子層１４は複数積層されていてもよい。この場合には、金属Ｍが析出可能な微粒子１３または保護膜１７の表面積が広くなるため、基質Ａの検出濃度範囲がさらに広くなる。微粒子層の複層化を行う場合は、微粒子層１４が一層形成された基板１１をアルキルジチオール分子が溶解した溶液に浸漬させ、微粒子層１４の保護膜１７の一部をアルキルジチオールで置換する。その後２層目の微粒子層をＬＢ法などを用いて形成することで、チオール基と金属微粒子の結合が形成され固定化ができる。これを繰り返すことで、微粒子層をさらに積層することも可能である。
【図面の簡単な説明】
【００６２】
【図１】本発明に係るバイオセンサーの実施の形態を説明するための断面構成図である。
【図２】本発明に係るバイオセンサーを用いた基質の濃度の測定方法における反応経路を説明するための図である。
【図３】本発明に係るバイオセンサーを用いた基質の濃度の測定方法を説明するための工程断面図である。
【符号の説明】
【００６３】
１…バイオセンサー、１１…基板、１２…電極、１３…微粒子、１４…微粒子層、１５…酵素、１７…保護膜、Ａ…基質、Ｍn+…金属イオン、Ｍ…金属
【図１】
0004696723.tif 000005
【図２】
0004696723.tif 000006
【図３】
0004696723.tif 000007